(57)【要約】【課題】  英単語等の学習者に興味を持ってもらい、これを持続させる。【解決手段】  学習システム１では、サーバ２と携帯電話４とを備え、サーバ２の記憶手段１２は、英単語と、この記号に関連する日本語と、所定範囲の試験における出題数の順序とを対応づけた単語データベース２２を記憶しており、サーバ側制御手段１４は、サーバ側通信手段１０において携帯電話４からの英単語の表示要求を受信すると、記憶手段１２における単語データベース２２を参照し、上記出題数の順序に従い記憶された順序で英単語を抽出し、表示要求発信元の携帯電話側通信手段７０宛でサーバ側通信手段１０から抽出英単語を送信し、携帯電話側制御手段８０は、携帯電話側通信手段７０において抽出英単語を受信すると、携帯電話側表示手段７４において抽出英単語を表示する。【選択図】  図１
2005055657.tif 000002
【特許請求の範囲】
【請求項１】
サーバ側記憶手段、サーバ側通信手段、およびこれらを制御するサーバ側制御手段を含むサーバコンピュータと、
端末側通信手段、端末側表示手段、端末側操作手段、およびこれらを制御する端末側制御手段を含む端末と
を備え、
サーバ側記憶手段は、学問についての記号と、この記号に関連する関連記号と、所定範囲の試験における記号または関連記号の出題数もしくは出題率またはこれらの順序とを対応づけた記号データベースを記憶しており、
端末側制御手段は、端末側操作手段における操作に基づいて、記号の表示要求を、端末側通信手段からサーバ側通信手段宛で送信し、
サーバ側制御手段は、サーバ側通信手段において記号の表示要求を受信すると、サーバ側記憶手段における記号データベースを参照し、出題数もしくは出題率またはこれらの順序に従った順序で記号を抽出し、表示要求発信元の端末側通信手段宛でサーバ側通信手段から抽出記号を送信し、
端末側制御手段は、端末側通信手段において抽出記号を受信すると、端末側表示手段において抽出記号を表示する
ことを特徴とする学習システム。
【請求項２】
更に、記号データベースに、異なる範囲の試験における記号または関連記号の出題数もしくは出題率またはこれらの順序が対応づけられており、
端末側制御手段は、端末側操作手段における操作により、出題数または出題率に係る範囲の選択を受付可能であり、選択を受付けると範囲選択信号として端末側通信手段からサーバ側通信手段宛で送信し、
サーバ側制御手段は、サーバ側通信手段において範囲選択信号を受信すると、選択信号送信元の端末について、範囲選択信号に対応する範囲の出題数または出題率の順序で記号を抽出する
ことを特徴とする請求項１に記載の学習システム。
【請求項３】
更に、端末側制御手段は、端末側操作手段における操作に基づいて、端末側表示手段において表示した記号に対する関連記号の表示要求を端末側通信手段からサーバ側通信手段宛で送信し、
サーバ側制御手段は、サーバ側通信手段において関連記号の表示要求を受信すると、サーバ側記憶手段における記号データベースを参照し、関連記号を取得し、表示要求発信元の端末側通信手段宛でサーバ側通信手段から取得関連記号を送信し、
端末側制御手段は、端末側通信手段において取得関連記号を受信すると、端末側表示手段において取得関連記号を表示する
ことを特徴とする請求項１または請求項２に記載の学習システム。
【請求項４】
更に、サーバ側記憶手段は、記号と、当該記号についての関連記号を覚えたか否かを示すフラグとを端末毎に対応づけたユーザデータベースを記憶しており、
サーバ側制御手段は、取得関連記号の送信に付随して、取得関連記号と記号との対応を覚えた旨の確認要求を、サーバ側通信手段から関連記号の表示要求発信元の端末側通信手段宛で送信し、
端末側制御手段は、端末側通信手段において確認要求を受信すると、端末側操作手段における正解を覚えた旨の確認入力を促し、確認入力があると、確認信号を端末側通信手段からサーバ側通信手段宛で送信し、
サーバ側制御手段は、サーバ側通信手段において確認信号を受信すると、ユーザデータベースにおける確認信号発信元の取得関連記号または記号に係るフラグを、取得関連記号と記号との対応を覚えたことを示すものに更新するとともに、覚えたことを示すフラグが対応づけられた記号を抽出しない
ことを特徴とする請求項３に記載の学習システム。
【請求項５】
更に、サーバ側記憶手段は、記号に対応する関連記号を覚えたことを示すフラグの複数の端末における総数とを対応づけた統計データベースを記憶しており、
サーバ側制御手段は、ユーザデータベースにおける当該フラグの更新に基づいて、統計データベースにおける総数を更新するとともに、出題数もしくは出題率またはこれらの順序に総数を加味して定められる順序で記号を抽出する
ことを特徴とする請求項４に記載の学習システム。
【請求項６】
更に、端末側制御手段は、端末側操作手段における操作に基づいて、記号に係る総数に関する情報である総数情報の表示要求を、端末側通信手段からサーバ側通信手段宛で送信し、
サーバ側制御手段は、サーバ側通信手段における総数情報の表示要求を受信すると、サーバ側記憶手段における統計データベースを参照して、表示要求発信元の端末側通信手段宛でサーバ側通信手段から記号に係る総数情報を送信し、
端末側制御手段は、端末側通信手段において記号に係る総数情報を受信すると、端末側表示手段において記号に係る総数情報を表示する
ことを特徴とする請求項５に記載の学習システム。
【請求項７】
サーバ側記憶手段、サーバ側通信手段、およびこれらを制御するサーバ側制御手段を備え、
サーバ側記憶手段は、学問についての記号と、この記号に関連する関連記号と、所定範囲の試験における記号または関連記号の出題数もしくは出題率またはこれらの順序とを対応づけた記号データベースを記憶しており、
サーバ側制御手段は、サーバ側記憶手段における記号データベースを参照し、出題数もしくは出題率またはこれらの順序に従った順序で記号を抽出し、サーバ側通信手段から抽出記号を送信する
ことを特徴とする学習システム用サーバコンピュータ。
【請求項８】
更に、記号データベースに、異なる範囲の試験における記号または関連記号の出題数もしくは出題率またはこれらの順序が対応づけられており、
サーバ側制御手段は、何れかの範囲の出題数または出題率の順序で記号を抽出する
ことを特徴とする請求項７に記載の学習システム用サーバコンピュータ。
【請求項９】
更に、サーバ側制御手段は、サーバ側記憶手段における記号データベースを参照し、関連記号を取得し、サーバ側通信手段から取得関連記号を送信する
ことを特徴とする請求項７または請求項８に記載の学習システム用サーバコンピュータ。
【請求項１０】
更に、サーバ側記憶手段は、記号と、当該記号についての関連記号を覚えたか否かを示すフラグとを端末毎に対応づけたユーザデータベースを記憶しており、
サーバ側制御手段は、取得関連記号の送信に付随して、取得関連記号と記号との対応を覚えた旨の確認要求を、サーバ側通信手段から送信し、
サーバ側制御手段は、サーバ側通信手段において確認要求に対応する確認信号を受信すると、ユーザデータベースにおける取得関連記号または記号に係るフラグを、取得関連記号と記号との対応を覚えたことを示すものに更新するとともに、覚えたことを示すフラグが対応づけられた記号を抽出しない
ことを特徴とする請求項９に記載の学習システム用サーバコンピュータ。
【請求項１１】
更に、サーバ側記憶手段は、記号に対応する関連記号を覚えたことを示すフラグの複数の端末における総数とを対応づけた統計データベースを記憶しており、
サーバ側制御手段は、ユーザデータベースにおける当該フラグの更新に基づいて、統計データベースにおける総数を更新するとともに、出題数もしくは出題率またはこれらの順序に総数を加味して定められる順序で記号を抽出する
ことを特徴とする請求項１０に記載の学習システム用サーバコンピュータ。
【請求項１２】
更に、サーバ側制御手段は、サーバ側記憶手段における統計データベースを参照して、表示要求発信元の端末側通信手段宛でサーバ側通信手段から記号に係る総数情報を送信する
ことを特徴とする請求項１１に記載の学習システム用サーバコンピュータ。
【発明の詳細な説明】
【技術分野】
【０００１】
本発明は、語学、科学、歴史学等の学問についての、単語、熟語、成句、文字列、文、短文章、式、略図等の記号を、関連記号と対応づけて学習するためのシステム、および本システムに用いられるサーバコンピュータ（サーバ）に関する。
【背景技術】
【０００２】
従来の英単語学習機器として、下記特許文献１に記載されたものが知られている。この英単語学習機器は、英単語を、日本語の意味と対応づけて学習するためのものである。この英単語学習機器は、「ＡＢＣ順」または「ランダム」の何れかに設定されるモード切替スイッチと、「名詞」「動詞」「形容詞」「全部」の何れかに設定される品詞切替スイッチとを有する。この英単語学習機器では、これらスイッチに基づいて、英単語が順番に表示される。
【０００３】
学習者は表示された英単語につき、その意味を考え、意味表示キーを操作し、正しい意味を追加表示させる。学習者は、自分で考えた意味が正しければＯＫキーを操作する。ＯＫキーの操作を受付けた英単語学習機器は、そのとき表示していた英単語につき、次回から表示されないようにする。
【０００４】
【特許文献１】特開平７−５６４９３号公報
【発明の開示】
【発明が解決しようとする課題】
【０００５】
上記英単語学習機器では、英単語を表示する順序が、学習の動機付けとなるようなものではないため、学習者が比較的早く飽きてしまい易い。また、英単語を表示する順序が、ＯＫキーの操作による非表示化を除いて静的であるため、特に学習を繰返す場合に同様な順番で英単語が出現することとなり、学習者が飽きてしまい易い。
【０００６】
そこで、請求項１に記載の発明は、英単語を始めとする記号の学習者に興味を持ってもらい、これを持続させることのできる学習システムを提供することを目的としたものである。
【０００７】
また、請求項７に記載の発明は、英単語を始めとする記号の学習者に興味を持ってもらい、これを持続させることのできる学習システムのためのサーバを提供することを目的としたものである。
【課題を解決するための手段】
【０００８】
上記目的を達成するために、請求項１に記載の発明は、学習システムにあって、サーバ側記憶手段、サーバ側通信手段、およびこれらを制御するサーバ側制御手段を含むサーバコンピュータと、端末側通信手段、端末側表示手段、端末側操作手段、およびこれらを制御する端末側制御手段を含む端末とを備え、サーバ側記憶手段は、学問についての記号と、この記号に関連する関連記号と、所定範囲の試験における記号または関連記号の出題数もしくは出題率またはこれらの順序とを対応づけた記号データベースを記憶しており、端末側制御手段は、端末側操作手段における操作に基づいて、記号の表示要求を、端末側通信手段からサーバ側通信手段宛で送信し、サーバ側制御手段は、サーバ側通信手段において記号の表示要求を受信すると、サーバ側記憶手段における記号データベースを参照し、出題数もしくは出題率またはこれらの順序に従った順序で記号を抽出し、表示要求発信元の端末側通信手段宛でサーバ側通信手段から抽出記号を送信し、端末側制御手段は、端末側通信手段において抽出記号を受信すると、端末側表示手段において抽出記号を表示することを特徴とするものである。
【０００９】
請求項２に記載の発明は、上記目的に加えて、多様性を与えて更なる興味向上に資する目的を達成するため、更に、記号データベースに、異なる範囲の試験における記号または関連記号の出題数もしくは出題率またはこれらの順序が対応づけられており、端末側制御手段は、端末側操作手段における操作により、出題数または出題率に係る範囲の選択を受付可能であり、選択を受付けると範囲選択信号として端末側通信手段からサーバ側通信手段宛で送信し、サーバ側制御手段は、サーバ側通信手段において範囲選択信号を受信すると、選択信号送信元の端末について、範囲選択信号に対応する範囲の出題数または出題率の順序で記号を抽出することを特徴とする。
【００１０】
請求項３に記載の発明は、上記目的に加えて、解答としての関連記号を提供して操作性の向上を図る目的を達成するため、更に、端末側制御手段は、端末側操作手段における操作に基づいて、端末側表示手段において表示した記号に対する関連記号の表示要求を端末側通信手段からサーバ側通信手段宛で送信し、サーバ側制御手段は、サーバ側通信手段において関連記号の表示要求を受信すると、サーバ側記憶手段における記号データベースを参照し、関連記号を取得し、表示要求発信元の端末側通信手段宛でサーバ側通信手段から取得関連記号を送信し、端末側制御手段は、端末側通信手段において取得関連記号を受信すると、端末側表示手段において取得関連記号を表示することを特徴とする。
【００１１】
請求項４に記載の発明は、上記目的に加えて、効率良く多くの記号ないし関連記号を学習する目的を達成するため、更に、サーバ側記憶手段は、記号と、当該記号についての関連記号を覚えたか否かを示すフラグとを端末毎に対応づけたユーザデータベースを記憶しており、サーバ側制御手段は、取得関連記号の送信に付随して、取得関連記号と記号との対応を覚えた旨の確認要求を、サーバ側通信手段から関連記号の表示要求発信元の端末側通信手段宛で送信し、端末側制御手段は、端末側通信手段において確認要求を受信すると、端末側操作手段における正解を覚えた旨の確認入力を促し、確認入力があると、確認信号を端末側通信手段からサーバ側通信手段宛で送信し、サーバ側制御手段は、サーバ側通信手段において確認信号を受信すると、ユーザデータベースにおける確認信号発信元の取得関連記号または記号に係るフラグを、取得関連記号と記号との対応を覚えたことを示すものに更新するとともに、覚えたことを示すフラグが対応づけられた記号を抽出しないことを特徴とする。
【００１２】
請求項５に記載の発明は、上記目的に加えて、他のユーザにおける覚えの状況を反映させて一層興味を向上する目的を達成するため、更に、サーバ側記憶手段は、記号に対応する関連記号を覚えたことを示すフラグの複数の端末における総数とを対応づけた統計データベースを記憶しており、サーバ側制御手段は、ユーザデータベースにおける当該フラグの更新に基づいて、統計データベースにおける総数を更新するとともに、出題数もしくは出題率またはこれらの順序に総数を加味して定められる順序で記号を抽出することを特徴とする。
【００１３】
請求項６に記載の発明は、上記目的に加えて、他のユーザにおける覚えの状況を提示して興味の維持向上に役立ててもらう目的を達成するため、更に、端末側制御手段は、端末側操作手段における操作に基づいて、記号に係る総数に関する情報である総数情報の表示要求を、端末側通信手段からサーバ側通信手段宛で送信し、サーバ側制御手段は、サーバ側通信手段における総数情報の表示要求を受信すると、サーバ側記憶手段における統計データベースを参照して、表示要求発信元の端末側通信手段宛でサーバ側通信手段から記号に係る総数情報を送信し、端末側制御手段は、端末側通信手段において記号に係る総数情報を受信すると、端末側表示手段において記号に係る総数情報を表示することを特徴とする。
【００１４】
上記目的を達成するために、請求項７に記載の発明は、学習システム用サーバにあって、サーバ側記憶手段、サーバ側通信手段、およびこれらを制御するサーバ側制御手段を備え、サーバ側記憶手段は、学問についての記号と、この記号に関連する関連記号と、所定範囲の試験における記号または関連記号の出題数もしくは出題率またはこれらの順序とを対応づけた記号データベースを記憶しており、サーバ側制御手段は、サーバ側記憶手段における記号データベースを参照し、出題数もしくは出題率またはこれらの順序に従った順序で記号を抽出し、サーバ側通信手段から抽出記号を送信することを特徴とするものである。
【００１５】
請求項８に記載の発明は、上記目的に加えて、多様性を与えて更なる興味向上に資する目的を達成するため、更に、記号データベースに、異なる範囲の試験における記号または関連記号の出題数もしくは出題率またはこれらの順序が対応づけられており、サーバ側制御手段は、何れかの範囲の出題数または出題率の順序で記号を抽出することを特徴とする。
【００１６】
請求項９に記載の発明は、上記目的に加えて、解答としての関連記号を提供して操作性の向上を図る目的を達成するため、更に、サーバ側制御手段は、サーバ側記憶手段における記号データベースを参照し、関連記号を取得し、サーバ側通信手段から取得関連記号を送信することを特徴とする。
【００１７】
請求項１０に記載の発明は、上記目的に加えて、効率良く多くの記号ないし関連記号を学習する目的を達成するため、更に、サーバ側記憶手段は、記号と、当該記号についての関連記号を覚えたか否かを示すフラグとを端末毎に対応づけたユーザデータベースを記憶しており、サーバ側制御手段は、取得関連記号の送信に付随して、取得関連記号と記号との対応を覚えた旨の確認要求を、サーバ側通信手段から送信し、サーバ側制御手段は、サーバ側通信手段において確認要求に対応する確認信号を受信すると、ユーザデータベースにおける取得関連記号または記号に係るフラグを、取得関連記号と記号との対応を覚えたことを示すものに更新するとともに、覚えたことを示すフラグが対応づけられた記号を抽出しないことを特徴とする。
【００１８】
請求項１１に記載の発明は、上記目的に加えて、他のユーザにおける覚えの状況を反映させて一層興味を向上する目的を達成するため、更に、サーバ側記憶手段は、記号に対応する関連記号を覚えたことを示すフラグの複数の端末における総数とを対応づけた統計データベースを記憶しており、サーバ側制御手段は、ユーザデータベースにおける当該フラグの更新に基づいて、統計データベースにおける総数を更新するとともに、出題数もしくは出題率またはこれらの順序に総数を加味して定められる順序で記号を抽出することを特徴とする。
【００１９】
請求項１２に記載の発明は、上記目的に加えて、他のユーザにおける覚えの状況を提示して興味の維持向上に役立ててもらう目的を達成するため、更に、サーバ側制御手段は、サーバ側記憶手段における統計データベースを参照して、表示要求発信元の端末側通信手段宛でサーバ側通信手段から記号に係る総数情報を送信することを特徴とする。
【発明の効果】
【００２０】
本発明によれば、学習対象である記号を所定試験における出題順でオンライン送信するため、学習者の興味を高水準に保つことができ、効果的な学習を支援することができる、という効果を奏する。
【発明を実施するための最良の形態】
【００２１】
以下、本発明の実施形態に係る学習システムないし学習システム用サーバコンピュータ（サーバ）について、次に示す目次の順序に従い、適宜図面に基づいて説明する。
（１）学習システムないしサーバの大要
（２）学習システムないしサーバの外的側面
（３）学習システムないしサーバの内的側面
（４）学習システムないしサーバの動作内容
（５）学習システムないしサーバが奏する効果
（６）主に上記実施例を変更してなる本発明の実施例の例示
【００２２】
（１）学習システムないしサーバの大要
本発明の一実施形態としての学習システムは、英単語および対応する日本語に関するものであり、複数のユーザに係るブラウザを備えた携帯電話と、ブラウザを介して各ユーザの携帯電話と情報をやり取りするサーバコンピュータ（サーバ）とから成る。サーバは、英単語群を記憶しているとともに、ユーザの携帯電話に対する操作に基づいて、英単語群から特定大学の入学試験における出題率順で英単語を抽出し、抽出英単語を携帯電話に送信する。
【００２３】
また、サーバは、携帯電話からの範囲選択要求に基づき、英単語を、特定大学を含まない大学群の入学試験における出題数順で抽出するようにする。更に、サーバは、抽出英単語に対応する日本語を取得し、取得した日本語を携帯電話に表示させる。
【００２４】
また更に、サーバは、取得した日本語に付随して、当該日本語と英単語との対応を覚えたかの確認入力欄を携帯電話に表示させ、覚えたとの確認入力を受信すると、この旨をユーザデータベースにおいてユーザ毎に、また英単語毎にフラグとして記録し、以後対応する英単語を抽出しないようにする。加えて、サーバは、英単語の抽出順序に関し、このフラグから得られる値を加味することができる。ここで、フラグから得られる値とは、覚えた旨を示しているフラグの英単語における総数である（統計データベース）。また、総数ないし関連情報は、ユーザの携帯電話に対する操作に基づいて、ブラウザ上で表示される。
【００２５】
（２）学習システムないしサーバの外的側面
図１は上記学習システム１の説明図であって、学習システム１は、サーバ２と、端末としての複数の携帯電話４とから成る。サーバ２と、各端末４とは、インターネット６を介して通信可能である。  
【００２６】
サーバ２は、インターネット６との通信を実行するサーバ側通信手段１０と、各種情報を適宜不揮発的に記憶するサーバ側記憶手段１２と、これらを制御するサーバ側制御手段１４とを含む。記憶手段１２には、サーバ側制御手段１４により実行される制御の手順を記載したプログラム２０、および携帯電話４に表示させるための各種のページデータ２１、ならびに学習対象の一つである記号としての英単語等を格納した単語データベース２２、ユーザ毎の成績（単語を覚えたか否か）を格納したユーザデータベース２４、単語毎の複数ユーザに係る成績分布を示す統計データベース２６等が記憶されている。
【００２７】
単語データベース２２は、図２（ａ）に示すように、単語ナンバー３０、英単語３２、および関連記号としての日本語３４、ならびに類似語３６、語源３８、用法４０、更には特定大学における入学試験であって過去数年間ないし数十年間のものにおいて出題された延数（特定大学に係る出題数）の多い方からの順序４２、同様に所定地区内の大学における出題数の多い方からの順序４４が対応づけられて成る。
【００２８】
ユーザデータベース２４は、図２（ｂ）に示すように、ユーザＩＤ５０と、単語ナンバー３０毎のフラグ値５２とが対応づけられて成る。
【００２９】
ここで、フラグ値５２は、図２（ｃ）に示すように、０であれば、英単語３２に対応する日本語３４を覚えておらず、かつ日本語３４に対応する英単語３２を覚えていないことを示し、１であれば、英単語３２に対応する日本語３４を覚えていないが、日本語３４に対応する英単語３２は覚えたことを示し、２であれば、英単語３２に対応する日本語３４は覚えたが、日本語３４に対応する英単語３２を覚えていないことを示し、３であれば、英単語３２に対応する日本語３４を覚え、かつ日本語３４に対応する英単語３２も覚えたことを示す。
【００３０】
統計データベース２６は、図２（ｄ）に示すように、フラグ値５２と、単語ナンバー３０毎の当該フラグ値５２を持つユーザ数６０とが対応づけられて成る。
【００３１】
また、各携帯電話４は、通話の他にインターネット６との通信をも実行可能な端末側通信手段７０と、インターネット６から受信したページデータ２１等の表示を指令したり当該表示指令に基づきインターネット６へ送信するための入力を適宜受付けたりするプログラムとしての記憶手段に格納されたブラウザ７２と、ブラウザ７２による表示を実際に行う液晶ディスプレイ等の端末側表示手段７４と、各ユーザが操作する端末側操作手段としての十字キー７６、決定キー７８ないし終了キー７９と、これらの実行ないしは制御をする端末側制御手段８０とを備えている。
【００３２】
（３）学習システムないしサーバの内的側面
サーバ２のプログラム２０は、サーバ側通信手段１０やサーバ側記録手段１２に対する基本的な制御のための手順を記載した部分に加えて、図３に示すように、次に挙げるような手順を記載した部分を有する。
【００３３】
即ち、各携帯電話４に対応するユーザＩＤ５０を発行し、管理するＩＤ管理部１００である。また、ページ表示要求（特定ページへのアクセス要求）に対応したページデータ２１を要求発信元へ送信するとともに、当該ページデータ２１に基づく入力を携帯電話４に送信させ、これを受付けるページ処理部１０２である。
【００３４】
更に、単語データベース２２を参照し、英単語３２を順序４２に従って仮順序を設定する仮順序設定部１０６である。また、英単語３２の仮順序が順序４４に従うように切替える範囲選択部１０８である。
【００３５】
また、英単語３２の抽出のため順序を決定しようとする際、英単語３２のユーザデータベース２４のフラグ値５２が「覚えた」を示していると、当該英単語３２につき順序を設定しない抽出停止部１１０である。
【００３６】
加えて、英単語３２抽出のため順序を決定しようとする際、統計データベース２６を参照し、仮順序に加味するポイントを算出して実際の順序を決定する統計加味部１１２である。更に、実際の順序に従って英単語３２を抽出する抽出部１１４である。
【００３７】
また、当該英単語３２を「覚えた」か否かの情報についての携帯電話４への入力（確認入力）および携帯電話４からの送信を促し、受信した情報が「覚えた」であればユーザデータベース２４のフラグ５２を対応するものに更新するため、ユーザデータベース２４における当該携帯電話４に係るユーザＩＤ５０、および正解に対応する単語ナンバー３０によって定まる欄に、「覚えた」に対応するフラグ５２を書込むフラグ処理部１２０である。
【００３８】
（４）学習システムないしサーバの動作内容
学習システム１にあっては、前提としてサーバ２が携帯電話４からのユーザＩＤ５０付与要求を受付ける。当該付与要求は、携帯電話４においてインターネット６を介してサーバ２の提供する登録ページ（ページデータ２１の一部）にアクセスし、携帯電話４において表示された登録ページにおける所定の入力を、ブラウザ７２、インターネット６等を介してサーバ２が受信し、ページ処理部１０２により処理することで受付けられる。
【００３９】
付与要求の受付により、サーバ側制御手段１４はプログラム２０のＩＤ管理部１００を実行し、新規のユーザＩＤ５０を要求発信元の携帯電話４に付与し、ユーザデータベース２４に欄を追加する。なお、サーバ２による付与要求受付をもって、要求発信元の携帯電話４の持主（操作者）が、学習システム１の学習サービスのユーザとなる。この学習サービスの内容は、以下に示す動作内容によって提供される英単語学習支援である。
【００４０】
そして、サーバ２は、まずユーザＩＤ５０を有する携帯電話４からサービス開始要求を受付ける。サービス開始要求は、範囲選択ページへのアクセスとして、携帯電話４毎に行われる。サーバ側制御手段１４は、各携帯電話４に対し、ページ処理部１０２を実行することで、ユーザＩＤ５０等を用いて認証処理をし、認証できれば範囲選択ページに係るページデータ２１を要求発信元の携帯電話４宛で送信する。
【００４１】
範囲選択ページに係るページデータ２１を通信手段７０において受信すると、携帯電話側制御手段８０は、ブラウザ７２により、図４（ａ）に示すような、出題順序に対応する範囲の選択を受付ける範囲選択ページを表示手段７４において表示する。また、ブラウザ７２を実行している携帯電話側制御手段８０は、範囲選択ページに係る範囲選択入力を待つ。
【００４２】
携帯電話側制御手段８０は、範囲選択ページを表示している際に、十字キー７６の上下の押下があると、範囲選択メニュー２００である「△大学」「◇地区」の何れかにあるハイライト表示を他方に移動させる。更に、携帯電話側制御手段８０は、範囲選択ページを表示している際に、決定キー７８の押下があると、その時点でハイライト表示されているメニューに係る範囲について選択したものとし、当該範囲を選択する旨の範囲選択入力を受付けたものとして処理する。携帯電話側制御手段８０は、範囲選択入力を受付けると、範囲選択入力を範囲選択信号としてサーバ側通信手段１０宛でインターネット６を介し送信する。
【００４３】
範囲選択信号をサーバ側通信手段１０において受付けると、サーバ側制御手段１４は、プログラム２０の範囲選択部１０８の実行によりこれを記憶手段１２において記憶するとともに、ページ処理部１１０等により、図４（ｂ）に示すような基本メニューページを入力送信元の携帯電話側通信手段７０宛でインターネット６を介し送信する。
【００４４】
携帯電話側制御手段８０は、基本メニューページを携帯電話側通信手段において受信すると、これを表示し、その表示中に十字キー７６の左右の押下があると、対象記号選択メニュー２０２である「英日」「日英」の何れかにあるハイライト表示を他方へ移動させる。また同様に、十字キー７６の上下の押下があると、基本メニュー２０４である「覚えていない単語だけ」「覚えた単語表示」「リセット」の何れかにあるハイライト表示を上または下に移動させる。更に、携帯電話側制御手段８０は、基本メニューページを表示している際に、決定キー７８の押下があると、その時点でハイライト表示されている基本メニュー２０４を選択したものとし、基本メニュー選択入力を受付けたものとして処理する。
【００４５】
なお「英日」は英単語３２を問題（記号）とし、その日本語３４を解答していく（関連記号とする）ことに対応する。また「日英」は日本語３４を問題とし、これに対応する英単語３２を解答していくことに対応する。
【００４６】
一方「できない単語だけ」は、サーバ側制御手段１４による抽出停止部１１０の実行を許可して、かつて覚えた旨を入力した英単語３２等は問題として抽出されないようにすることに対応する。また「覚えた単語表示」は、図４（ｃ）に示すような、かつて覚えた旨を入力した英単語３２等の一覧を含むページの表示に対応する。更に「リセット」は、覚えた旨の入力（の記憶、ユーザデータベース２４の当該ユーザに対応する欄）を、全ての英単語３２（または日本語３４）につき覚えた旨の入力がない状態にすることに対応する。また「リセット」は、ここでは上記範囲選択入力からやり直すことにも対応する。
【００４７】
基本メニュー選択入力を受付けた携帯電話側制御手段８０は、携帯電話側通信手段７０を制御し、基本メニュー選択入力をサーバ側通信手段１０宛でインターネット６に流す。基本メニュー選択入力をサーバ側通信手段１０において受信すると、サーバ側制御手段８０が、ページ処理部１１０等により、基本メニュー選択入力に応じたページを入力送信元の携帯電話側通信手段７０宛で送信する。なお、これより先、上記のようなサーバ２−携帯電話４間の通信は、特に断らない限りサーバ２もしくは携帯電話４、ないしはサーバ側制御手段１４もしくは携帯電話側制御手段８０が、相手に対し行うものとして説明する。
【００４８】
以下、基本メニューとして「英日」および「覚えていない単語だけ」が選択された場合につき説明する。
【００４９】
なお「日英」を選択した場合の処理は、記号が日本語３４、関連記号が英単語３２に入れ替り、覚えた旨のフラグの値が異なることとなる他は「英日」と同様である。
【００５０】
また「覚えた単語表示」が選択された場合、サーバ２は、図４（ｃ）の一覧ページに表示すべき英単語３２および対応する日本語３４（「日英」の場合）、または一覧ページに表示すべき日本語３４および対応する英単語３２（「英日」の場合）を、ユーザデータベース２４を参照することで抽出し、一覧ページを作成し、インターネット６を介して当該基本メニューに係る入力のあった携帯電話４に送信し、携帯電話４は、ブラウザ７２によって一覧ページを表示する。なお、覚えた英単語３２や日本語３４が多く所定表示部分に表示しきれない場合、その表示部分に縦スクロールバー２１０を配置し、本ページ表示中に、十字キー７６の上下の押下があると、縦スクロールバー２１０と英単語３２や日本語３４の表示部分の表示を更新するようにする。また決定キー７８の押下があると、「戻る」に係るメニュー２１２の実行を指示したものとして基本メニューページへ戻るものとする。
【００５１】
更に「リセット」が選択された場合、サーバ２は、確認メッセージおよび入力を適宜受付けた後、ユーザデータベース２４を、全ての英単語３２に対する日本語３４を覚えていないことを示すフラグ（「日英」の場合）または全ての日本語３４に対する英単語３２を覚えていないことを示すフラグ（「英日」の場合）に更新し、その旨記載したページを携帯電話４に表示させ、範囲選択ページに戻らせる。
【００５２】
「英日」および「覚えていない単語だけ」が選択されると、図５に示すように、サーバ側制御手段１４は、予め英単語３２に係る出題の順序を演算する（ステップ１５０）。即ち、サーバ側制御手段１４は、プログラム２０の仮順序設定部１０６を実行し、単語データベース２４中の範囲選択に対応する順序４２，４４をもって、単語ナンバー３０毎の仮順序とする。ただし、サーバ側制御手段１４は、ユーザデータベース２４中の携帯電話４に係るユーザＩＤ５０に対応する欄において、フラグ値５２が２，３である単語ナンバー３０については仮順序を設定しない（抽出停止部１１０）。
【００５３】
また、サーバ側制御手段１４は、統計データベース２６中の各単語ナンバー３０において、フラグ値５２が０，１であるユーザ数６０の合計が所定値（例えば１００以上）であるものをピックアップし、フラグ値５２が２，３であるユーザ数６０の合計（「覚えた」旨入力された総数）に対する割合（あるいは全体のユーザ数６０に対する割合）を算出する。更に、例えば全体に対するフラグ値５２が０，１であるものの割合が５０〜７０％の場合に２ポイント（第２の仮順序）、３０〜５０％の場合に５ポイント、１０〜３０％の場合に１０ポイント、０〜１０％の場合に２０ポイント等として、割合の範囲毎に順序加味のためのポイントを付与する（統計加味部１１２、当該総数から算出されるポイントが加味される）。
【００５４】
そして、サーバ側制御手段１４は、仮順序に当該ポイントを加算することで、これから用いる実際の出題順序を得、これを記憶手段１２に記憶する。なお、実際の出題順序が異なる単語ナンバー３０において同値となった場合、サーバ側制御手段１４は順序４２，４４（仮順序）のみの順序をもって同値である単語ナンバー３０同士の順序を決定する。また、仮順序が設定されない単語ナンバー３０については、実際の出題順序も設定されず、記憶もされない。
【００５５】
サーバ側制御手段１４は、実際の出題順序を決定すると、その順序に従って英単語３２を抽出し（抽出部１１４、ステップ１５１）、当該英単語３２に係る図４（ｄ）に示すような英単語出題ページを携帯電話４に送信する（ステップ１５２）。英単語出題ページにおいては、上記順序に基づき抽出された出題に係る英単語３２と、「意味表示」「類似語表示」「語源表示」「用法表示」「統計表示」といった出題メニュー２２０とを含む。
【００５６】
携帯電話側制御手段８０は、ブラウザ７２を介し、英単語出題ページを表示するとともに、十字キー７６の上下押下により、何れかの出題メニュー２２０上のハイライト表示を上下に移動し、決定キー７８の押下により、ハイライト表示されたメニューを選択したものとしてサーバ２に送信する。
【００５７】
サーバ側制御手段１４は、出題メニュー２２０中「意味表示」選択の旨を受信すると、図６（ａ）に示すような解答ページを作成し、携帯電話４に送信する（ステップ１５４）。
【００５８】
サーバ側制御手段１４は、解答ページに、出題に係る英単語３２を配置する。また、これに対応する日本語３４を単語データベース２２において取得し、配置する（取得関連記号）。なお、単語データベース２２において、日本語３４は存在する限り複数記憶しておき、サーバ側制御手段１４は解答ページにおいてこれらを並べて配置する。日本語３４が解答ページの所定欄に収らないときは、所定欄に横スクロールバーを配し、携帯電話４の十字キー７６の左右入力に応じて収らない部分を表示するようスクロール可能なページとする。
【００５９】
更に、サーバ側制御手段１４は、解答ページに、十字キー７６の上下および決定キー７８に対応する「覚えた登録」「次の単語」という解答メニュー２３０を配置する（確認要求）。そして、携帯電話４における「覚えた登録」の選択（確認入力）によって、ユーザデータベース２４中の出題に係る英単語３２の単語ナンバー３０に対応するフラグ値５２を、「０」であれば「２」に、「１」であれば「３」に更新し、次の出題順序に係る英単語３２に対応する英単語出題ページの送信をする（フラグ処理部１２０、ステップ１５６）。一方、「次の単語」の選択により、ユーザデータベース２４を更新することなく、次の英単語出題ページに関する処理に移行する（ステップ１５１以降）。
【００６０】
なお、サーバ側制御手段１４は、ユーザデータベース２４における当該フラグ値５２の更新に基づいて、統計データベース２６における統計値６０を更新する。この更新は、すぐさまあるいはアイドルタイム中等において行われる。また、統計値６０の更新により、「覚えた」旨入力された総数も更新される。
【００６１】
他方、サーバ側制御手段１４は、出題メニュー２２０中「類似語表示」選択の旨を受信すると、単語データベース２２の対応する類似語３６を参照して図６（ｂ）に示すような類似語ページを作成し、携帯電話４に送信する（ステップ１６０）。類似語３６は複数存在する場合もある。類似語３６は、ここでは英単語３２および日本語３４を表示し、単語データベース２２において双方が記憶しておいても良い。類似語３６表示部分には適宜スクロールバーを配置する。携帯電話４における決定キー７８の押下により、直前の英単語出題ページに戻る処理をする。
【００６２】
また、サーバ側制御手段１４ないし携帯電話側制御手段８０は、出題メニュー２２０中「語源表示」選択の旨を受信すると、類似語３６の場合と同様に、語源３８を用いて図６（ｃ）のような語源ページに関する処理をする（ステップ１６２）。
【００６３】
更に、サーバ側制御手段１４ないし携帯電話側制御手段８０は、出題メニュー２２０中「用法表示」選択の旨を受信すると、類似語３６の場合と同様に、用法４０を用いて図６（ｄ）のような用法ページに関する処理をする（ステップ１６４）。
【００６４】
加えて、サーバ側制御手段１４ないし携帯電話側制御手段８０は、出題メニュー２２０中「統計表示」選択の旨を受信すると、統計データベース２６中の現在出題されている英単語３２に対応する統計値６０を、フラグ値５２毎の棒グラフとして表示する（ステップ１６６、統計ページ）。「英日」の場合において、このうちフラグ値５２が２，３である統計値６０の合計が、出題英単語３２に対応する日本語３４を覚えたことを示すフラグの複数の端末における総数になり、携帯電話４において総数情報が表示される。
【００６５】
なお、サーバ２ないし携帯電話４は、実際の出題順序に従いこのような処理を繰返す。また、サーバ２ないし携帯電話４は、出題順序が最後まで到達するか、携帯電話４において終了キー７９が押下されるかすると、適宜メッセージを表示した上で、プログラム２０を停止したりインターネット６に対する通信を停止したりする等、サービスを終了する。
【００６６】
範囲選択ページの再アクセスにより、サービスが再開された場合には、所定メニューの選択とともに、単語データベース２２、ユーザデータベース２４、統計データベース２６等の現状に基づく実際の出題順序の再計算がなされる。これにより、再度のサービスにおいては、「覚えた」旨入力した英単語について出題されないようにできる。また、統計を反映した実際の出題順序になる。更に、所定入学試験における出題数順に基づいた出題順序になる。
【００６７】
（５）学習システムないしサーバが奏する効果
本発明の学習システム１ないしサーバ２では、記憶手段１２、サーバ側通信手段１０、およびこれらを制御するサーバ側制御手段１４を含むサーバ２を備え、記憶手段１２は、英単語３２と、この記号に関連する日本語３４と、所定範囲の試験における出題数の順序４２，４４とを対応づけた単語データベース２２を記憶しており、サーバ側制御手段１４は、サーバ側通信手段１０において英単語３２の表示要求を受信すると、記憶手段１２における単語データベース２２を参照し、出題数の順序に従った順序４２，４４で英単語３２を抽出し、表示要求発信元の携帯電話側通信手段７０宛でサーバ側通信手段１０から抽出英単語３２を送信し、あるいは更に携帯電話側通信手段７０、携帯電話側表示手段７４、十字キー７６、決定キー７８、終了キー７９およびこれらを制御する携帯電話側制御手段８０を含む携帯電話４を備え、携帯電話側制御手段８０は、十字キー７６、決定キー７８における操作に基づいて、英単語３２の表示要求を、携帯電話側通信手段７０からサーバ側通信手段１０宛で送信し、し、携帯電話側制御手段８０は、携帯電話側通信手段７０において抽出英単語３２を受信すると、携帯電話側表示手段７４において抽出英単語３２を表示するため、強力な動機を提供した状態で英単語３２およびこれに関連する日本語３４の興味深い学習を提供することができる。
【００６８】
また、単語データベース２２に、異なる範囲の試験における英単語３２の出題数の順序４２，４４が対応づけられており、サーバ側制御手段１４は、サーバ側通信手段１０において範囲選択信号を受信すると、選択信号送信元の携帯電話４について、範囲選択信号に対応する範囲の出題数の順序４２，４４で記号を抽出し、あるいは更に携帯電話側制御手段８０は、十字キー７６、決定キー７８における操作により、出題数に係る範囲の選択を受付可能であり、選択を受付けると範囲選択信号として携帯電話側通信手段７０からサーバ側通信手段１０宛で送信するので、様々な種類の英単語学習を提供することができ、興味深い学習を選択してもらえるようにもできる。
【００６９】
更に、サーバ側制御手段１４は、サーバ側通信手段１０において日本語３４の表示要求を受信すると、記憶手段１２における単語データベース２２を参照し、対応する日本語３４を取得し、表示要求発信元の携帯電話側通信手段７０宛でサーバ側通信手段１０から取得日本語３４を送信し、あるいは更に携帯電話側制御手段８０は、十字キー７６、決定キー７８における操作に基づいて、携帯電話側表示手段７４において表示した英単語３２に対する日本語３４の表示要求を携帯電話側通信手段７０からサーバ側通信手段１０宛で送信し、携帯電話側制御手段８０は、携帯電話側通信手段７０において取得日本語３４を受信すると、携帯電話側表示手段７４において取得日本語３４を表示するため、英単語３２対応する日本語３４を表示により確認でき、学習効果や操作性を向上することができる。
【００７０】
加えて、記憶手段１２は、英単語３２と、当該英単語３２についての日本語３４を覚えたか否かを示すフラグとを携帯電話４毎に対応づけたユーザデータベース２４を記憶しており、サーバ側制御手段１４は、取得日本語３４の送信に付随して、取得日本語３４と英単語３２との対応を覚えた旨の確認要求を、サーバ側通信手段１０から取得日本語３４の表示要求発信元の携帯電話側通信手段７０宛で送信し、サーバ側制御手段１４は、サーバ側通信手段１０において確認要求に対応する確認信号を受信すると、ユーザデータベース２４における確認信号発信元の取得日本語３４または英単語３２に係るフラグを、取得日本語３４と英単語３２との対応を覚えたことを示すものに更新するとともに、覚えたことを示すフラグが対応づけられた英単語３２を抽出せず、あるいは更に携帯電話側制御手段８０は、携帯電話側通信手段７０において確認要求を受信すると、十字キー７６、決定キー７８における正解を覚えた旨の確認入力を促し、確認入力があると、確認信号を携帯電話側通信手段７０からサーバ側通信手段１０宛で送信するため、覚えた英単語３２につき何度も出題される事態を回避でき、より効率良く英単語３２ないし日本語３４を学習することができる。
【００７１】
また、記憶手段１２は、英単語３２に対応する日本語３４を覚えたことを示すフラグの複数の携帯電話４における総数とを対応づけた統計データベース２６を記憶しており、サーバ側制御手段１４は、ユーザデータベース２４における当該フラグの更新に基づいて、統計データベース２６における総数を更新するとともに、出題数の順序に総数を加味して定められる順序で英単語３２を抽出するため、ライバルである他ユーザの結果に応じて出題順序を考慮することができ、更なる興味の維持向上に資することができる。
【００７２】
更に、サーバ側制御手段１４は、サーバ側通信手段１０における総数情報の表示要求を受信すると、記憶手段１２における統計データベース２６を参照して、表示要求発信元の携帯電話側通信手段７０宛でサーバ側通信手段１０から英単語３２に係る総数情報を送信し、あるいは更に携帯電話側制御手段８０は、十字キー７６、決定キー７８における操作に基づいて、英単語３２に係る総数に関する情報である総数情報の表示要求を、携帯電話側通信手段７０からサーバ側通信手段１０宛で送信し、携帯電話側制御手段８０は、携帯電話側通信手段７０において英単語３２に係る総数情報を受信すると、携帯電話側表示手段７４において英単語３２に係る総数情報を表示するので、ライバルの動向を分り易く簡単に提示することができ、学習に対する更なる動機付けを提供することができる。
【００７３】
なお、上記学習システム１ないしサーバ２では、同一の単語データベース２２をもって日本語３４を記号に、英単語３２を関連記号にすることもでき、シンプルな構成で効率良く複数の学習支援サービスを提供することができる。
【００７４】
（６）主に上記実施形態を変更してなる本発明の実施形態の例示
出題数の順序等を定めるにあたり、他の学校のものを採用したり、模擬試験に係るものを採用したり、特定のグループにおける複数の試験についてのものを採用したり、すでに順位がまとめられている書籍等のデータを活用したりする。また、出題率の高い順にする。「英日」の場合において日本語に係る出題数等の順序で英単語を抽出する。順序を出題数の低い順や覚えた旨のフラグまたはその割合が多い順にする等、逆にする。単語データベースにおいて、実際の出題数や出題率の値を記憶する。
【００７５】
端末側操作手段として、数字キーや外付入力装置等を採用する。ＩＤにおける認証を、別種の認証としたり、省いたりする。各サービス開始要求を、基本メニューページへのアクセスとしたり、特定の入力の受付としたりする。また、プログラムの一部ないし全部を携帯電話にダウンロードし、この後はサーバと必要な通信のみを行うようにする。
【００７６】
プログラムの各部の分け方につき、各部を接合ないし分離したり、新たな部分を加えたりする等する。プログラムの各ステップの順序につき入替えたものとする。統計を加味するにあたり、ポイントの値や「覚えていない」割合の範囲を他のものにしたり、ポイントを減ずるようにしたり、ポイントの順序を基準に単語データベースの順序を演算するものとしたり、当該割合自体を直接順序の算出に用いたりする。一方、出題順序を出題の都度計算する。
【００７７】
類似語を表示するにあたり、類似する英単語のみ記憶しておき対応日本語を参照する。メニューについてサービス終了や範囲再選択、範囲のみのリセットまたはユーザデータベースのみのリセット、サービス途中であっても各種データベースの現状においてすぐに出題順序を再計算させるような「最初から」メニューを適宜追加したり、十字キーの上下と左右を取替えたり、解答ページに直前の英単語出題ページへのリンクである「戻る」メニューを追加したり、ハイライト表示ではなくポインタを表示したり、メニューをアイコン等で表示したりする等、レイアウト、文字の大きさ、メニュー構成、表示内容を様々なものにする。
【００７８】
そして、本発明は、英単語ないし日本語以外の記号や関連記号についてのものや、パーソナルコンピュータや個人情報デバイス等を端末とするものや、公衆網ないし専用回線等を用いた通信に係るものに適用できる。
【図面の簡単な説明】
【００７９】
【図１】本発明の実施形態に係る学習システムのブロック図である。
【図２】図１の学習システムの（ａ）単語データベース、（ｂ）ユーザデータベース、（ｃ）ユーザデータベースのフラグ、（ｄ）統計データベースを示す説明図である。
【図３】図１におけるプログラムのブロック図である。
【図４】図１の学習システムの（ａ）範囲選択ページ、（ｂ）基本メニューページ、（ｃ）覚えた単語の表示ページ、（ｄ）単語出題ページを示す図である。
【図５】図１の学習システムの動作の一部を示すフローチャートである。
【図６】図４（ｄ）における単語出題ページからリンクされた（ａ）解答ページ、（ｂ）類似語ページ、（ｃ）語源ページ、（ｄ）用法ページ、（ｅ）統計ページを示す図である。
【符号の説明】
【００８０】
１        学習システム
２        サーバ
４        携帯電話
１０        サーバ側通信手段
１２        記憶手段
１４        サーバ側制御手段１４
２２        単語データベース
２４        ユーザデータベース
２６        統計データベース
３２        英単語
３４        日本語
４２，４４  順序
７０        携帯電話側通信手段
７４        携帯電話側表示手段
７６        十字キー
７８        決定キー
７９        終了キー
８０        携帯電話側制御手段
【図１】
2005055657.tif 000003
【図２】
2005055657.tif 000004
【図３】
2005055657.tif 000005
【図４】
2005055657.tif 000006
【図５】
2005055657.tif 000007
【図６】
2005055657.tif 000008